(57)【要約】【課題】情報記録媒体の記録領域を有効に活用しつつ新記録情報を追加記録することができると共に、旧記録情報と新記録情報の連続再生を正確に行うことが可能な情報記録方法及び装置を提供する。【解決手段】本発明は、複数の第1記録単位からなる誤り訂正ブロック単位で記録情報を記録媒体に記録する情報記録装置であって、前記記録情報を誤り訂正ブロック単位に変換する変換手段と、前記変換手段から出力される記録情報を記録媒体に記録する記録手段と、前記記録手段の記録処理の停止と開始を制御する制御手段と、を備え、前記制御手段は、記録処理を停止させる際には前記誤り訂正ブロックの最初の第1記録単位内で記録処理を停止させ、記録処理を開始させる際には当該記録処理を停止した第1記録単位内から記録処理を開始させる。【選択図】図３
2007026667.tif 000002
【特許請求の範囲】
【請求項１】
複数の第1記録単位からなる誤り訂正ブロック単位で記録情報を記録媒体に記録する情報記録装置であって、
前記記録情報を誤り訂正ブロック単位に変換する変換手段と、
前記変換手段から出力される記録情報を記録媒体に記録する記録手段と、
前記記録手段の記録処理の停止と開始を制御する制御手段と、
を備え、
前記制御手段は、記録処理を停止させる際には前記誤り訂正ブロックの最初の第1記録単位内で記録処理を停止させ、記録処理を開始させる際には当該記録処理を停止した第1記録単位内から記録処理を開始させることを特徴とする情報記録装置。
【請求項２】
前記制御手段は、記録処理を開始する際、前記記録処理を停止した停止位置に対して誤り訂正能力の範囲となる位置から記録処理を開始するよう記録手段を制御することを特徴とする請求項１に記載の情報記録装置。
【請求項３】
前記第１記録単位は複数の第２記録単位で構成され、前記制御手段は記録処理の停止位置を含む第２記録単位内から記録処理を再開させることを特徴とする請求項２に記載の情報記録装置。
【請求項４】
前記第1記録単位の先頭には識別情報を有しており、前記制御手段は少なくとも前記識別情報よりも後ろに前記停止位置が位置するよう制御することを特徴とする請求項１に記載の情報記録装置。
【請求項５】
複数の第1記録単位からなる誤り訂正ブロック単位で記録情報を記録媒体に記録する情報記録方法であって、
前記記録情報を誤り訂正ブロック単位に変換する変換工程と、
前記変換された記録情報を記録媒体に記録する記録工程と、
前記記録工程における記録処理の停止と開始を制御する制御工程と、
を備え、
前記制御工程においては、記録処理を停止させる際には前記誤り訂正ブロックの最初の第1記録単位内で記録処理を停止させ、記録処理を開始させる際には当該記録処理を停止した第1記録単位内から記録処理を開始させることを特徴とする情報記録方法。
【請求項６】
前記制御工程においては、記録処理を開始する際、前記記録処理を停止した停止位置に対して誤り訂正能力の範囲となる位置から記録処理を開始するように制御することを特徴とする請求項５に記載の情報記録方法。
【請求項７】
前記第１記録単位は複数の第２記録単位で構成され、前記制御工程において記録処理の停止位置を含む第２記録単位内から記録処理を再開させることを特徴とする請求項６に記載の情報記録方法。
【請求項８】
前記第1記録単位の先頭には識別情報を有しており、前記制御工程においては少なくとも前記識別情報よりも後ろに前記停止位置が位置するよう制御することを特徴とする請求項５に記載の情報記録方法。
【発明の詳細な説明】
【技術分野】
【０００１】
本発明は、本発明は、一回のみ記録可能なＤＶＤ−Ｒ（DVD-Recordable）に代表される高密度光ディスク等の追記型情報記録媒体に予め記録されている旧記録情報に連続して新記録情報を追加記録するための情報記録方法及び装置の技術分野に属する。
【背景技術】
【０００２】
一般に、一回のみ記録可能な追記型情報記録媒体においては、一度旧記録情報が記録された領域に新記録情報を後から上書きしようとすると、旧記録情報及び新記録情報の双方が破壊されることとなる。
【０００３】
そこで、この種の追記型情報記録媒体に新記録情報を追加記録するための情報記録方法及び装置において、旧記録情報に連続して新記録情報を記録する際には、従来、旧記録情報と新記録情報との連設領域において、当該旧記録情報又は新記録情報において用いられている誤り訂正処理におけるＥＣＣ（Error Correcting Code ）ブロック等の誤り訂正単位に相当する情報量に対応する連設領域を設け、この連設領域に相当する旧記録情報の最後の部分及び新記録情報の最初の部分に、例えば、意味のないダミー情報又は所定のＲＦ（Radio Frequency ）信号を記録し、その後に本来の上記新記録情報を記録開始することが行われていた。
【０００４】
この連設領域を設ける理由は、後から記録された新記録情報と旧記録情報を連続して再生する際に、連設領域を設けないと、旧記録情報の記録領域と新記録情報の記録領域との境界部で夫々のＲＦ信号が不連続となる場合があり、その場合には、再生時におけるフォーカスサーボやトラッキングサーボが不安定となる原因となるからである。
【０００５】
また、一ＥＣＣブロック分の連設領域を設けてそこに意味のないダミー情報等を記録する理由は、従来の誤り訂正処理においては、誤り訂正は上記誤り訂正単位毎に行われるものであり、当該誤り訂正単位の途中から新記録情報を記録すると、新記録情報を記録後に旧記録情報と当該新記録情報を連続して再生する際に、誤り訂正単位内にある新記録情報の先頭部分については、正しく誤り訂正が行われず、従って、正確な連続再生ができないこととなるからである。この点で、上記のように連設領域において意味のないダミー情報又は所定のＲＦ信号を一ＥＣＣブロック分記録することを予め決めておけば、たとえ上記連設領域において旧記録情報と新記録情報が重なることにより双方が破壊されても、その部分に記録されている情報が意味のないダミー情報又は所定のＲＦ信号であるため、この部分を再生せずに読み飛ばして当該連設領域の次のＥＣＣブロックから新記録情報を再生することにより、旧記録情報と新記録情報の再生ができるのである。
【０００６】
更に、上記連設領域を設ける他の理由は、連設領域を設けずに旧記録情報に連続して新記録情報を記録すると、旧記録情報と新記録情報が重複した部分で双方が破壊される場合があるが、その際の破壊の範囲が誤り訂正単位を越えた場合には、破壊された記録情報を修復することができない場合があるからである。
【発明の開示】
【発明が解決しようとする課題】
【０００７】
しかしながら、従来の誤り訂正単位は、例えば、３２ｋByte程度の容量を有するものであり、この領域が再生に無関係の情報で満たされることとなるため、大量の情報を記録する必要のある上記高密度ディスク等においては、極めて不効率であり、情報記録媒体上の記録領域を有効に使用することができないという問題点があった。
【０００８】
そこで、本発明は、上記問題に鑑みて成されたもので、その課題は、情報記録媒体の記録領域を有効に活用しつつ新記録情報を追加記録することができると共に、旧記録情報と新記録情報の連続再生を正確に行うことが可能な情報記録方法及び装置を提供することにある。
【課題を解決するための手段】
【０００９】
上記の課題を解決するために、請求項１に記載の発明は、複数の第1記録単位からなる誤り訂正ブロック単位で記録情報を記録媒体に記録する情報記録装置であって、前記記録情報を誤り訂正ブロック単位に変換する変換手段と、前記変換手段から出力される記録情報を記録媒体に記録する記録手段と、前記記録手段の記録処理の停止と開始を制御する制御手段と、を備え、前記制御手段は、記録処理を停止させる際には前記誤り訂正ブロックの最初の第1記録単位内で記録処理を停止させ、記録処理を開始させる際には当該記録処理を停止した第1記録単位内から記録処理を開始させることを特徴とする。
【００１０】
請求項５に記載の発明は、複数の第1記録単位からなる誤り訂正ブロック単位で記録情報を記録媒体に記録する情報記録方法であって、前記記録情報を誤り訂正ブロック単位に変換する変換工程と、前記変換された記録情報を記録媒体に記録する記録工程と、前記記録工程における記録処理の停止と開始を制御する制御工程と、を備え、前記制御工程においては、記録処理を停止させる際には前記誤り訂正ブロックの最初の第1記録単位内で記録処理を停止させ、記録処理を開始させる際には当該記録処理を停止した第1記録単位内から記録処理を開始させることを特徴とする。
【発明を実施するための最良の形態】
【００１１】
次に、本発明の好適な実施の形態について、図面に基づいて説明する。なお、以下の実施形態は、上記ＤＶＤ−Ｒに対して情報を記録するための情報記録装置について本発明を適用した実施の形態を説明するものである。
【００１２】
（Ｉ）記録フォーマットの実施の形態
始めに、ＤＶＤ−Ｒに記録情報を記録する際の一般的な物理フォーマット及び当該記録情報における誤り訂正処理について、図１及び図２を用いて説明する。
【００１３】
先ず、本実施の形態のＤＶＤ−Ｒにおける誤り訂正処理及び当該誤り訂正処理における誤り訂正単位としてのＥＣＣブロックについて、図１を用いて説明する。
【００１４】
一般に、ＤＶＤ−Ｒに記録される記録情報は、図１（ａ）に示すデータセクタ２０を複数個含む物理構造を成して構成されている。そして、一のデータセクタ２０中には、その先頭から、データセクタ２０の開始位置を示すＩＤ情報２１と、当該ＩＤ情報２１の誤りを訂正するためのＩＤ情報誤り訂正コード（ＩＥＣ（ID Data Error correction Code ））２２と、予備データ２３と、記録すべき主たるデータであるデータ２４と、データ２４におけるエラーを検出するためのエラー検出コード（ＥＤＣ（Error Detection Code））２５とにより構成され、このデータセクタ２０が複数連続することにより記録すべき記録情報が構成されている。
【００１５】
次に、このデータセクタ２０を用いてＥＣＣブロックを構成する際の処理を、図１（ｂ）を用いて説明する。
【００１６】
データセクタ２０を用いてＥＣＣブロックを構成する際には、図１（ｂ）に示すように、始めに、一のデータセクタ２０を１７２バイト毎に分割し、分割した夫々のデータ（これを、以下、データブロック３３という。）を垂直方向に並べる（図１（ｂ）-1参照）。このとき、垂直方向には１２行のデータブロック３３が並ぶこととなる。
【００１７】
そして、垂直方向に並べた夫々のデータブロック３３に対して１０バイトのＥＣＣ内符号（ＰＩ（Pality In ）符号）３１を当該データブロック３３の最後に付加して一の訂正ブロック３４を構成する（図１（ｂ）-2参照）。この段階では、ＥＣＣ内符号３１が付加された訂正ブロック３４が垂直方向に１２行並んでいることとなる。その後、この処理を１６のデータセクタ２０分だけ繰返す。これにより、１９２行の訂正ブロック３４が得られる。
【００１８】
次に、上記の１９２行の訂正ブロック３４が垂直方向に並べられた状態で、今度は、当該１９２行の訂正ブロック３４を１バイト毎に最初から垂直方向に分割し、分割した夫々のデータに対して１６個のＥＣＣ外符号（ＰＯ（Pality Out）符号）３２を付加する。なお、当該ＥＣＣ外符号３２は、上記訂正ブロック３４のうち、ＥＣＣ内符号３１の部分に対しても付加される。
【００１９】
以上の処理により、１６のデータセクタ２０を含む一のＥＣＣブロック３０が図１（ｂ）-2に示すように形成される。このとき、一のＥＣＣブロック３０内に含まれる情報の総量は、
（１７２＋１０）バイト×（１９２＋１６）行＝３７８５６バイト
であり、この内、実際のデータ２４は、
２０４８バイト×１６＝３２７６８バイト
となる。
【００２０】
また、図１（ｂ）-2に示すＥＣＣブロック３０においては、１バイトのデータを「Ｄ＃．＊」で示している。例えば、「Ｄ１．０」は第１行第０列に配置されている１バイトのデータを示しており、「Ｄ１９０．１７０」は第１９０行第１７０列に配置されている１バイトのデータを示している。従って、ＥＣＣ内符号３１は第１７２列乃至第１８１列に配置され、ＥＣＣ外符号３２は第１９２行乃至第２０７行に配置されることとなる。
【００２１】
更に、一の訂正ブロック３４はＤＶＤ−Ｒ上には連続して記録される。
【００２２】
ここで、図１（ｂ）-2に示すように、ＥＣＣブロック３０をＥＣＣ内符号３１とＥＣＣ外符号３２の双方を含むように構成するのは、図１（ｂ）-2における水平方向に並んでいるデータの訂正をＥＣＣ内符号３１で行い、図１（ｂ）-2における垂直方向に並んでいるデータの訂正をＥＣＣ外符号３２で行うためである。すなわち、図１（ｂ）-2で示すＥＣＣブロック３０内においては、水平方向と垂直方向の二重に誤り訂正することが可能となり、従来のＣＤ（Compact Disk）等に用いられている誤り訂正処理に比してより強力に誤り訂正ができるように構成されている。
【００２３】
この点についてより具体的には、例えば、一の訂正ブロック３４（上述のように、一行分のＥＣＣ内符号３１を含んで計１８２バイトのデータを含み、連続してＤＶＤ−Ｒ上に記録される。）が全てＤＶＤ−Ｒのキズ等により破壊されたとしても、それを垂直方向から見ると、１列のＥＣＣ外符号３２に対して１バイトのデータ破壊でしかない。従って、夫々の列のＥＣＣ外符号３２を用いて誤り訂正を行えば、たとえ一の訂正ブロック３４の全てが破壊されていても、正しく誤り訂正を行って正確に再生することができるのである。
【００２４】
次に、図１（ｂ）-2で示すＥＣＣブロック３０に構成されたデータセクタ２０が、具体的にＤＶＤ−Ｒにどのように記録されるかについて、図２を用いて説明する。なお、図２において、「Ｄ＃．＊」で示されるデータは、図１（ｂ）-2内に記述されているデータに対応している。
【００２５】
ＥＣＣブロック３０をＤＶＤ−Ｒに記録する際には、始めに、図２最上段に示すように、ＥＣＣブロック３０が訂正ブロック３４毎に水平方向に一列に並べられてインターリーブされることにより、１６のレコーディングセクタ４０に分割される。このとき、一のレコーディングセクタ４０は、２３６６バイト（３７８５６バイト÷１６）の情報を含むこととなり、この中には、データセクタ２０とＥＣＣ内符号３１又はＥＣＣ外符号３２が混在している。但し、各レコーディングセクタ４０の先頭には、データセクタ２０におけるＩＤ情報２１（図１（ａ）参照）が配置される。
【００２６】
そして、一のレコーディングセクタ４０は、９１バイト毎のデータ４１に分割され、夫々にヘッダＨが付加される。その後、この状態のレコーディングセクタ４０を８−１６変調することにより、夫々のデータ４１毎に一のシンクフレーム４２が形成される。このとき、一のシンクフレーム４２はヘッダＨ’とデータ４３とにより構成されている。また、一のシンクフレーム４２内の情報量は、
９１バイト×８×（１６／８）＝１４５６バイト
となり、このシンクフレーム４２が連続した形態でＤＶＤ−Ｒ１に情報が書き込まれる。このとき、一のレコーディングセクタ４０は、２６のシンクフレーム４２を含むこととなる。
【００２７】
以上説明した物理フォーマットを構成してＤＶＤ−Ｒに情報を記録することにより、当該情報を再生する際に８−１６復調及びデインターリーブを行えば（図２参照）、もとのＥＣＣブロック３０を復元することができ、上記のように強力な誤り訂正を行って情報を正確に再生することができるのである。
【００２８】
（II）情報記録装置の実施の形態
次に、図１及び図２を用いて説明した物理フォーマットで情報をＤＶＤ−Ｒ１に記録するための本発明に係る情報記録装置の実施の形態について、図３乃至図７を用いて説明する。なお、以下の実施の形態では、ＤＶＤ−Ｒ１において、当該ＤＶＤ−Ｒ１上のアドレス情報等を記録したプリピットが、記録情報を記録すべき情報トラック上等に予め形成されており、記録情報の記録時には、当該プリピットを予め検出することによりＤＶＤ−Ｒ１上のアドレス情報を得、これにより記録情報を記録するＤＶＤ−Ｒ１上の記録位置を検出して記録するものとする。
【００２９】
始めに、本発明に係る情報記録装置の構成について、図３を用いて説明する。
【００３０】
図３に示すように、実施形態の情報記録装置Ｓは、ピックアップ２と、再生増幅器３と、デコーダ４と、プリピット信号デコーダ５と、スピンドルモータ６と、サーボ回路７と、プロセッサ８と、エンコーダ９と、スイッチ１０と、パワー制御回路１１と、レーザ駆動回路１２とにより構成されている。
【００３１】
次に、全体の動作を説明する。
【００３２】
ピックアップ２は、図示しないレーザダイオード、偏向ビームスプリッタ、対物レンズ、光検出器等を含み、レーザ駆動信号ＳDLに基づいて光ビームＢをＤＶＤ−Ｒ１の情報記録面に照射し、その反射光に基づいて上記プリピットを検出して記録すべき記録情報を記録すると共に、既に記録されている旧記録情報がある場合には、上記光ビームＢの反射光に基づいて当該既に記録されている旧記録情報を検出する。
【００３３】
そして、再生増幅器３は、ピックアップ２から出力されたプリピット又は既に記録されている旧記録情報に対応する情報を含む検出信号ＳDTを増幅し、プリピットに対応するプリピット信号ＳPPを出力すると共に、既に記録されている旧記録情報に対応する増幅信号ＳPを出力する。
【００３４】
その後、デコーダ４は、増幅信号ＳＰに対して８−１６復調及びデインターリーブを施すことにより当該増幅信号ＳPをデコードし、復調信号ＳDM及びサーボ復調信号ＳSDを出
力する。
【００３５】
一方、プリピット信号デコーダ５は、プリピット信号ＳPPをデコードして復調プリピット信号ＳPDを出力する。
【００３６】
そして、サーボ回路７は、復調プリピット信号ＳPD及びサーボ復調信号ＳSDに基づいて、ピックアップ２におけるフォーカスサーボ制御及びトラッキングサーボ制御のためのピックアップサーボ信号ＳSPを出力すると共に、ＤＶＤ−Ｒ１を回転させるためのスピンドルモータ６の回転をサーボ制御するためのスピンドルサーボ信号ＳSSを出力する。
【００３７】
これらと並行して、プロセッサ８は、外部から入力される記録すべき記録情報に対応した記録情報信号ＳRを一時的に記憶して出力すると共に、復調信号ＳDMに基づいて記録さ
れていた旧記録情報に対応する再生信号ＳOTを外部に出力し、更に、復調プリピット信号ＳPDに基づいて後述のスイッチ信号ＳSWを出力する。
【００３８】
そして、エンコーダ９は、記録情報信号ＳRに対してＥＣＣ内符号３１及びＥＣＣ外符
号３２を付加してＥＣＣブロック３０を構成すると共に、当該ＥＣＣブロック３０に対してインターリーブ及び８−１６変調を施し、エンコード信号ＳREを出力する。
【００３９】
このとき、スイッチ１０は、エンコード信号ＳRE及びグランド信号を切り換えて出力信号ＳPCとして出力する。
【００４０】
そして、パワー制御回路１１は、出力信号ＳPCに基づいてピックアップ３内の図示しないレーザダイオードの出力を制御するための駆動信号ＳDを出力する。
【００４１】
その後、レーザ駆動回路１２は、駆動信号ＳDに基づいて、実際に上記レーザダイオー
ドを駆動して光ビームＢを出射させるためのレーザ駆動信号ＳDLを出力する。
【００４２】
なお、上記の情報記録装置Ｓは、ＤＶＤ−Ｒ１に記録されている情報を再生することも可能であり、その際には、復調信号ＳDMに基づいてプロセッサ８を介して再生信号ＳOTが外部に出力されることとなる。
【００４３】
次に、本発明に係る記録情報の記録終了時の動作及び新たな記録情報の追加記録開始時の動作について、場合を分けて図４乃至図７を用いて説明する。
【００４４】
（III）情報記録動作の第１実施形態
始めに、本発明に対応する記録情報の記録動作の第１の実施形態について図４及び図５を用いて説明する。
【００４５】
第１実施形態の情報記録動作においては、旧記録情報（以下、旧データという。）の記録終了時に二のシンクフレーム４２に相当する情報量の旧ダミー情報（以下、旧ダミーデータという。）４４が旧データに続けてＩＤ情報２１を先頭として記録される。また、新記録情報（以下、新データという。）の追加記録開始時には、最初に、上記旧ダミーデータ４４が記録された領域のうち、第２番目のシンクフレーム４２に対応する領域に上記旧ダミーデータ４４と同じ内容の新ダミー情報（以下、新ダミーデータ）４５が記録される。このとき、旧ダミーデータ４４が記録された領域のうちの新ダミーデータ４５の追加記録後に残っている領域と新ダミーデータ４５が記録された領域の合計は、一のレコーディングセクタ４０に相当する領域となるように、新ダミーデータ４５の記録量が設定される。その後、当該新ダミーデータ４５に引き続いて本来記録すべき新データが記録される。
【００４６】
なお、図４は、情報記録動作の第１実施形態における記録終了時の処理と記録開始時の処理を一つに纏めた処理を示すフローチャートであり、図５は、情報記録動作の第１実施形態によって新データが追加記録される前後のＤＶＤ−Ｒ１を示したものである。
【００４７】
また、図４及び図５においては、旧データのうち、最後の旧データが記録されているレコーディングセクタ４０の先頭のＩＤ情報２１に対応する番地がＮ番地であるとし、それに引続いて旧ダミーデータ４４が記録されているレコーディングセクタ４０の先頭のＩＤ情報２１に対応する番地が（Ｎ＋１）番地であるとする。
【００４８】
情報記録動作の第１実施形態においては、図４に示すように、新データの追加記録が開始されると、始めに、旧データのうち、最後の旧データが記録されているレコーディングセクタ４０の先頭のＩＤ情報２１を検索するため、当該ＩＤ情報２１に対応する番地であるＮ番地をサーチする（ステップＳ１）。この動作は、デコーダ４からの復調信号ＳDMに基づいて、プロセッサ８において実行される。
【００４９】
そして、Ｎ番地に対応するＩＤ情報２１が検出されると、当該Ｎ番地に対応するＩＤ情報２１に引続いてレコーディングセクタ４０に記録されている旧データを検出し（ステップＳ２）、次に、（Ｎ＋１）番地に対応するＩＤ情報２１が検出されたか否かが、デコーダ４からの復調信号ＳDMに基づいて、プロセッサ８において判定される（ステップＳ３）。（Ｎ＋１）番地に対応するＩＤ情報２１が検出されないときには（ステップＳ３；ＮＯ）検出されるまで旧データの検出を継続し、検出されたときには（ステップＳ３；ＹＥＳ）、次に、プロセッサ８から
（１レコーディングセクタ−１シンクフレーム）
に相当する情報量の新ダミーデータ４５（例えば、「００００……」）を出力してエンコーダ９に入力し、一時的に記憶させておく。そして、当該新ダミーデータ４５に引続いて追加記録すべき新記録情報に対応する記録情報信号ＳＲを出力してエンコーダ９においてエンコードし、一時的に記憶しておく（ステップＳ４）。
【００５０】
このとき、新データにおいては、新ダミーデータ４５を含んで一のＥＣＣブロック３０を形成するようにしてもよいし、新ダミーデータの終了位置からの一のＥＣＣブロック３０を構成する（すなわち、新データのみでＥＣＣブロック３０を構成する）ようにしてもよい。
【００５１】
次に、（Ｎ＋１）番地に対応するＩＤ情報２１に引続いて記録されている旧ダミーデータ４４（例えば、「００００……」とされている。）を検出し、各シンクフレーム４２の先頭のヘッダＨをデコーダ４からの復調信号ＳDMに基づいて検出することにより、旧ダミーデータ４４が記録されている領域のうち、第２番目のシンクフレーム４２に対応する領域が検出されたか否かがプロセッサ８において判定される（ステップＳ５）。そして、第２番目のシンクフレーム４２に対応する領域が検出されないときには（ステップＳ５；ＮＯ）、検出されまで旧ダミーデータ４４の検出を継続し、検出されたら（ステップＳ５；ＹＥＳ）、プロセッサ８からのスイッチ信号ＳSWに基づいてスイッチ１１の端子Ａ側に切り換え、エンコーダ９に一時的に記録されていた新ダミーデータ４５及びそれに続く新データをエンコード信号ＳREとして取り出し、スイッチ１０から出力信号ＳPCとして出力する（ステップＳ６）。これにより、新ダミーデータ４５及びそれに続く新データがピックアップ２からの光ビームＢによりＤＶＤ−Ｒ１上に記録される。このときの光ビームＢのパワーは、図５に示すように、スイッチ１０がＡ端子側に切り換えられるまでは一定の再生パワーとされ、スイッチ１０がＡ端子側に切り換えられた以降（旧ダミーデータ４４が記録されている領域のうち、第２番目にシンクフレーム４２の先頭に相当する位置以降）は、出力信号ＳPCに含まれる新ダミーデータ４５及びそれに続く新データに対応して記録パワーと再生パワーが切り換わることとなる。なお、データを記録しないときでも光ビームＢを再生パワーとして出射し続けるのは、データを記録しない場合でもＤＶＤ−Ｒ１上の情報トラックをトラッキングするためトラッキングサーボ制御用の反射光が必要であるからである。
【００５２】
ステップＳ６において、スイッチ１０がＡ端子側に切り換えられることにより新ダミーデータ４５及び新データの記録が行われると、次に、エンコーダ９からの新データが終了したか否かがプロセッサ８において判定される（ステップＳ７）。そして、終了していない場合には（ステップＳ７；ＮＯ）そのまま新データの記録を継続し、終了した場合には（ステップＳ７；ＹＥＳ）、次に、記録終了時の処理として二のシンクフレーム４２に対応する情報量のダミーデータ（例えば、「００００……」とされている。）がエンコーダ９から出力されて記録の終了している新データに引続いて記録され（ステップＳ８）、それが終了するとスイッチ１０をＢ端子側（接地側）に切り換えて光ビームＢのパワーを再生パワーに設定して（ステップＳ９）、新データの追加記録処理を終了する。
【００５３】
以上説明した図４に示す処理により、新データの追加記録開始時には、図５に示すように新ダミーデータ４５に引続いて新データが記録され、更に、新データの記録終了時には記録の終了した新データ（図５においては、旧データに相当する。）に引続いてダミーデータが２シンクフレーム４２に相当する情報量だけ記録されて処理が終了することとなる。この処理を繰返すことにより記録情報の追加記録が行われるのであるが、この場合、追加記録における旧データと新データの連設領域のＤＶＤ−Ｒ１の状態については、図５最下段に示すように、１レコーディングセクタ４０に相当する情報量のダミーデータ（「００００……」）が記録される。ここで、旧ダミーデータ４４と新ダミーデータ４５が重なる部分（１シンクフレーム４２に相当する情報量である。図５において、データ破壊領域Ｄと示す。）では、データの上書きとなるため双方のデータが破壊される場合があるが、このとき、後ほど旧データと新データを連続して再生する際には、旧データと新データの境界部分のダミーデータが「００００……」であることが予め判明しているので、たとえデータ破壊領域Ｄが存在しても、当該データ破壊領域Ｄから検出されるデータを「００００……」と置き換えれば、当該連続再生時の誤り訂正に影響を与えることなく（連続再生時の誤り訂正能力を低下させることなく）連続再生を行うことができる。
【００５４】
また、ダミーデータが記録される連設領域が１レコーディングセクタ４０に相当するのみでよいので、一のＥＣＣブロック３０に相当する連設領域を設ける場合に比してＤＶＤ−Ｒ１の記録領域を有効に使用して、より多くの記録情報を記録することができる。
【００５５】
更に、旧データと新データの連設領域のレコーディングセクタ４０に対応するＩＤ情報２１（（Ｎ＋１）番地に相当する。）が破壊されることがないので、上記連続再生の際に正確に連続再生することができる。
【００５６】
（IV）情報記録動作の第２実施形態
次に、本発明に対応する記録情報の記録動作の第２の実施形態について図６及び図７を用いて説明する。
【００５７】
第２実施形態の情報記録動作においては、記録終了時においては、第１実施形態と同様に、旧データの記録終了時に２のシンクフレーム４２に相当する情報量の旧ダミーデータ４４が記録情報に続けてＩＤ情報２１を先頭として記録される。
【００５８】
一方、新データの追加記録開始時には、当該新データの最初から一のシンクフレーム４２に相当する新データを除いた以降の新データから記録が開始される。
【００５９】
なお、図５は、情報記録動作の第２実施形態における記録終了時の処理と記録開始時の処理を一つに纏めた処理を示すフローチャートであり、図７は、情報記録動作の第２実施形態によって新データが追加記録される前後のＤＶＤ−Ｒ１を示したものである。
【００６０】
また、図６及び図７においては、旧データのうち、最後の旧データが記録されているレコーディングセクタ４０の先頭のＩＤ情報２１に対応する番地がＮ番地であるとし、それに引続いて旧ダミーデータ４４が記録されているレコーディングセクタ４０の先頭のＩＤ情報２１に対応する番地が（Ｎ＋１）番地であるとする。更に、図４に示す情報記録動作の第１実施形態と同様の動作については同様のステップ番号を付して細部の説明は省略する。
【００６１】
情報記録動作の第２実施形態においては、図６に示すように、新データの追加記録が開始されると、始めに、図４に示すステップＳ１乃至Ｓ３と同様の動作が行われ、旧ダミーデータ４４が記録されている領域の先頭のＩＤ情報２１が検出される。
【００６２】
そして、（Ｎ＋１）番地に対応するＩＤ情報２１が検出されたときには（ステップＳ３；ＹＥＳ）、次に、プロセッサ８からダミーデータを挿入することなく追加記録すべき新記録情報に対応する記録情報信号ＳRを出力してエンコーダ９においてエンコードし、一
時的に記憶しておく（ステップＳ１０）。
【００６３】
その後は、図４に示すステップＳ５乃至Ｓ９と同様の動作が行われ、旧ダミーデータ４４が記録されている領域のうち、第２番目にシンクフレーム４２に相当する位置から新データ（新データの最初から一のシンクフレーム４２に相当する新データを除いた以降の新データ）の記録が行われ、二のシンクフレーム４２に対応する情報量のダミーデータを記録して、新データの記録が終了する。
【００６４】
このときの光ビームＢのパワーについては、図７に示すように、スイッチ１０がＡ端子側に切り換えられるまでは一定の再生パワーとされ、スイッチ１０がＡ端子側に切り換えられた以降（旧ダミーデータ４４が記録されている領域のうち、第２番目にシンクフレーム４２の先頭に相当する位置以降）は、出力信号ＳPCに含まれる新データに対応して記録パワーと再生パワーが切り換わることとなる。  
【００６５】
以上説明した図６に示す処理により、新データの追加記録開始時には、図７に示すように当該新データの最初から一のシンクフレーム４２に相当する新データを除いた以降の新データから記録され、更に、新データの記録終了時には記録の終了した新データ（図７においては、旧データに相当する。）に引続いてダミーデータが２シンクフレーム４２に相当する情報量だけ記録されて処理が終了することとなる。この処理を繰返すことにより記録情報の追加記録が行われるのであるが、この場合、追加記録における旧データと新データの連設領域のＤＶＤ−Ｒ１の状態については、図７最下段に示すように、新データの最初の二のシンクフレーム４２に相当する部分では、新データと異なるデータが記録されることとなる。すなわち、一のシンクフレーム４２に相当する部分には旧ダミーデータ４４が記録され、それに続く一のシンクフレーム４２に相当する部分がデータ破壊領域Ｄとなる。
【００６６】
しかしながら、旧データと新データを連続再生する場合を考えると、当該旧データ及び新データのＥＣＣブロックは、共に図１に示すＥＣＣブロック３０の構造となっているので、二のシンクフレーム４２に相当するデータ量はＥＣＣブロック３０において一の訂正ブロック３４に相当することとなる。従って、ＥＣＣブロック３０の説明の際に述べたように、ＥＣＣ内符号３１とＥＣＣ外符号３２を含んで垂直方向と水平方向に二重に誤り訂正を行うＥＣＣブロック３０の構造によれば、一の訂正ブロック３４が全て破壊されたとしても、それを垂直方向から見ると、１列のＥＣＣ外符号３２に対して１バイトのデータ破壊でしかないので、夫々の列のＥＣＣ外符号３２を用いて誤り訂正を行えば、正しく誤り訂正を行って正確に再生することができる。
【００６７】
従って、当該連続再生時の誤り訂正に対してはほとんど影響を与えることなく連続再生を行うことができるのである。
【００６８】
また、ダミーデータが記録される領域及びデータ破壊領域Ｄの総計が二のシンクフレーム４２に相当する領域のみであり、当該二のシンクフレーム４２に相当する領域が連続再生の際の誤り訂正にほとんど影響を与えることがないので、実質的に旧データと新データの連設領域（旧データと新データの連続再生の際には無駄な領域となる。）を設けることなく連続再生ができるので、一のＥＣＣブロック３０に相当する連設領域を設ける場合又は第１実施形態の場合に比してＤＶＤ−Ｒ１の記録領域を有効に使用して、より多くの記録情報を記録することができる。
【００６９】
更に、旧データと新データ暖簾接部分のレコーディングセクタ４０に対応するＩＤ情報２１（（Ｎ＋１）番地に相当する。）が破壊されることがないので、上記連続再生の際に正確に連続再生することができる。
【図面の簡単な説明】
【００７０】
【図１】実施形態の記録情報におけるＥＣＣブロックの構造を示す図であり、（ａ）は記録情報のデータ構造を示す図であり、（ｂ）はＥＣＣブロックのこう正を示す図である。
【図２】実施形態の記録情報の物理フォーマットを示す図である。
【図３】情報記録装置の概要構成を示すブロック図である。
【図４】情報記録動作の第１実施形態の処理を示すフローチャートである。
【図５】情報記録動作の第１実施形態の処理による記録情報の記録を説明する図である。
【図６】情報記録動作の第２実施形態の処理を示すフローチャートである。
【図７】情報記録動作の第２実施形態の処理による記録情報の記録を説明する図である。
【符号の説明】
【００７１】
１    ＤＶＤ−Ｒ
２    ピックアップ
３    再生増幅器
４    デコーダ
５    プリピット信号デコーダ
６    スピンドルモータ
７    サーボ回路
８    プロセッサ
９    エンコーダ
１０    スイッチ
１１    パワー制御回路
１２    レーザ駆動回路
２０    データセクタ
２１    ＩＤ情報
２２    ＩＤ情報誤り訂正コード
２３    予備データ
２４、４１、４３    データ
２５    エラー検出コード
３０    ＥＣＣブロック
３１    ＥＣＣ内符号
３２    ＥＣＣ外符号
３３    データブロック
３４    訂正ブロック
４０    レコーディングセクタ
４２    シンクフレーム
４４    旧ダミーデータ
４５    新ダミーデータ
Ｂ    光ビーム
Ｈ、Ｈ’    ヘッダ
Ｄ    データ破壊領域
ＳR      記録情報信号
ＳSW    スイッチ信号
ＳRE    エンコード信号
ＳPC    出力信号
ＳD      駆動信号
ＳDL    レーザ駆動信号
ＳDT    検出信号
ＳOT    再生信号
ＳP      増幅信号
ＳPP    プリピット信号
ＳDM    復調信号
ＳSD    サーボ復調信号
ＳPD    復調プリピット信号
ＳSP    ピックアップサーボ信号
ＳSS    スピンドルサーボ信号
【図１】
2007026667.tif 000003
【図２】
2007026667.tif 000004
【図３】
2007026667.tif 000005
【図４】
2007026667.tif 000006
【図５】
2007026667.tif 000007
【図６】
2007026667.tif 000008
【図７】
2007026667.tif 000009